(57)【要約】      （修正有）【課題】様々な場面で不便を感じることなく快適に着用することのできる使い勝手のよいマスクを提供する。【解決手段】口元及び鼻を覆う本体部１００と、本体部の長手方向の両端部上部側に磁石を被覆状態にして設けた取り付け部１２０と、取り付け部に着脱自在に取り付けられる強磁性体１４４を有する被取り付け部１４２と、被取り付け部が設けられ耳に掛けられる紐状または帯状の耳掛け用部１４０とを具備する。耳掛け用部にはアジャスターが設けられているので、耳への快適な装着感を提供できるとともに見栄えもよくなる。また、装身具や眼鏡等への影響も低減できる。【選択図】図１
0003233486.tif 000002
【実用新案登録請求の範囲】
【請求項１】
口元及び鼻を覆う本体部と、
この本体部の長手方向の両端部上部側に磁石を被覆状態にして設けた取り付け部と、
この取り付け部に着脱自在に取り付けられる強磁性体を有する被取り付け部と、
この被取り付け部が設けられ耳に掛けられる紐状または帯状の耳掛け用部とを具備することを特徴とするマスク。
【請求項２】
上記耳掛け用部は、一本の紐状または帯状の部材で、上記被取り付け部が設けられる部位側が環状となるようにアジャスターが設けられていることを特徴とする請求項１記載のマスク。
【請求項３】
上記本体部の長手方向の両端部上部側に紐状の補助耳かけ用部を設けたことを特徴とする請求項１または請求項２記載のマスク。
【考案の詳細な説明】
【技術分野】
【０００１】
本考案は、利便性の向上を図ったマスク、特に風邪や花粉対策・飛沫防止対策或いは防寒や保湿等の目的で日常的に使用される家庭用マスクの着用時に、不便を感じることなく快適な着用を可能とする使い勝手のよいマスクに関する。
【背景技術】
【０００２】
従来、風邪や花粉対策・飛沫防止対策或いは防寒や保湿等の目的で日常的に使用されるマスクは、フェースマスクや家庭用マスクとも称され、ガーゼタイプのもの、布製や不織布タイプのもの或いはポリウレタンタイプのもの他種々のものが提供されている。特に近時は、新型コロナウイルス感染症の流行もあり、フィルタ機能や密閉機能は勿論、飛沫防止対策機能を重視した種々のものが提案され、日常的にマスクの着用が定着してきている。
【０００３】
感染症防止対策や飛沫防止対策として、外出時や人が多く集まる場所等での、マスクの常時着用が強く求められている。それはたとえ食事のときであったとしても同様であり、口に食物を運ぶとき以外はマスクの着用が求められている。これではマスクを着けたり外したりする頻度が極めて多くなり、煩わしくとても食事を楽しめるものではないものである。特に、幼少者や高齢者にとっては、とても辛いものである。
【０００４】
また、マスクを着用する場合、身に付けるイヤリング等の装身具の種類も限られてしまう傾向にあった。さらには、マスク着用により眼鏡がくもり易くなり、最悪の場合、常に眼鏡がくもった状態になることもある。
【０００５】
下記特許文献１には、マスクを構成する被覆部の一部に備えた粘着部を顔面に粘着することで被覆部を顔面に支持可能とした鼻、口または眼を被覆するための顔面装着用被覆具が開示されている。このものにあっては、被覆部の一部、好ましくは被覆部の両端に二つの粘着部を備え、粘着部を顔面に粘着することで被覆部を顔面に支持可能とすることにより、顔面装着用被覆具を顔面の適宜の箇所に容易に装着することができるようにしたものである。また、従来のように紐やゴムを耳に掛ける方式でないから、耳が痒くなったり、痛くなったりすることがないようにしたものである。
【０００６】
下記特許文献２には、耳掛け紐を省略するとともに顔面への快適な装着を可能にしたマスクが開示されている。このものにあっては、口及び鼻を覆う本体部と、その周囲部分複数箇所に設けられた取付部と、顔面の複数箇所へ着脱自在に貼り付けられて本体部を着脱自在に支持する複数のアンカー部材とを備えており、アンカー部材は予め顔面の複数箇所に貼り付けられ、このアンカー部材に対して取付部を係合等により着脱自在に支持して本体部を顔面に固定し、アンカー部材は、顔面の左右両頬に設けられて本体部の左右両側を支持するとともに、装飾を施されて顔面の左右に設けられたアクセサリーになるようにしたものである。これにより、予め顔面の複数箇所へ貼り付けたアンカー部材に対して本体の取付部を係合等させるので、本体部を固定する部分を複数箇所に分散でき、快適なマスクの装着を可能にする。またアンカー部に適当な装飾を施せば、顔面のアクセサリーとして役立たせることもできるものである。
【０００７】
下記特許文献３には、顔面へ予めアンカー部材を取り付け、このアンカー部材を介してマスクを着脱自在に顔面へ装着する技術が開示されている。このものにあっては、顔面へ装着される顔面装着部材と、これを支持するため予め顔面へ取り付けられるアンカー部材とを備えた顔面装着部材の支持構造に於いて、アンカー部材の表面に顔面装着部材の支持部を設け、顔面装着部材のアンカー部材へ重なる部分に被支持部を設けるとともに、支持部と被支持部の少なくとも一方をマグネットで構成し、他方をこのマグネットへ磁力で吸着される強磁性体で構成したことを特徴としたものである。
【０００８】
下記特許文献４には、耳掛け型補聴器や耳掛け型集音器を装着している人でも、マスクの着用が容易で、ストレスなくマスクを使用することのできるマスク保持具が開示されている。このものにあっては、耳たぶに装着可能な耳装着部と、マスクの紐を取り付け可能なマスク取付部とからなり、耳装着部とマスク取付部とは磁石により着脱可能に結合することができることを特徴としたものである。
【先行技術文献】
【特許文献】
【０００９】
【特許文献１】特開２００７−２０９８３号公報
【特許文献２】特許第４６８４３１８号公報
【特許文献３】実用新案登録第３２０５１０８号公報
【特許文献４】実用新案登録第３２２８７０８号公報
【考案の開示】
【考案が解決しようとする課題】
【００１０】
特許文献１に開示されたものは、マスクの耳掛け用紐をなくして直接顔面にマスクを装着するものである。このマスクは、粘着性シリコンを顔面に繰り返し装着及び脱着するものであるため、着用者は煩わしい作業を強いられる。また顔面に付けられる粘着性シリコンにより、着用者が不快感を覚える虞があることは否めないものである。
【００１１】
特許文献２に開示されたものは、同様にマスクの耳掛け用紐をなくして直接顔面にマスクを装着するものである。このマスクは、予め顔面の複数箇所へアンカー部材を貼り付けておく必要がある。このため、着用者は煩わしい作業を強いられるとともに、顔面に付けられるアンカー部材により、着用者が不快感を覚える虞があることは否めないものである。
【００１２】
特許文献３に開示されたものも同様にマスクの耳掛け用紐をなくして直接顔面にマスクを装着するものであるが、やはり予め顔面の複数箇所へマグネットを有するアンカー部材を貼り付けておく必要がある。また、マスクには鉄等の強磁性体を設けておく必要がある。従って、着用者は顔面に付けられるアンカー部材により不快感を覚える虞があることは否めないものである。また、着用者の顔面にマグネットを有するアンカー部材を貼り付ける必要があるため、着用者がマスクを着用していないときに、強磁性体の他の物質を吸着してしまう虞もあり、美観を損ね、安全性の面でも問題が生じる虞がある。
【００１３】
特許文献４に開示されたものは、磁石機能を有するマスク保持具を用いることによりマスクの紐を直接耳に掛けることなく着脱可能とするものではある。しかし、別途マスク保持具をイヤリングやピアスと同じように耳たぶに装着する必要がある。このため、着用者はそのための煩わしい作業を強いられるとともに、不快感を覚える虞があることは否めないものである。また、マスク保持具そのものを紛失してしまう虞もある。さらには、誰もが容易に利用できるものとは言い難いものである。
【００１４】
近時、感染症防止対策や飛沫防止対策として、老若男女を問わず殆ど常時マスクを着用することが当たり前の生活様式になってきている。しかしながら、マスク着用に伴う煩わしさや不快感、或いは装身具や眼鏡等への影響については、上述した特許文献も含め、その解消は難しいのが実情である。
【００１５】
そこで、本考案は上記事情を考慮してなされたもので、上述した不具合を解消し、煩わしさを感じることなく誰もが容易且つ快適に着用することのできる、使い勝手のよいマスクを提供することをその目的とする。
また、本考案は、シンプルでコンパクトな構造で生産性及び経済性に優れるマスクを提供することをその目的とする。
【課題を解決するための手段】
【００１６】
本考案は、上記目的を達成するために以下の通りの構成とすることを特徴とする。
【００１７】
（１）  本発明のマスクは、口元及び鼻を覆う本体部と、この本体部の長手方向の両端部上部側に磁石を被覆状態にして設けた取り付け部と、この取り付け部に着脱自在に取り付けられる強磁性体を有する被取り付け部と、この被取り付け部が設けられ耳に掛けられる紐状または帯状の耳掛け用部とを具備することを特徴とする。
【００１８】
（２）  上記（１）の構成にあって、上記耳掛け用部は、一本の紐状または帯状の部材で、上記被取り付け部が設けられる部位側が環状となるようにアジャスターが設けられている構成としたことを特徴とする。
【００１９】
（３）  上記（１）または（２）の構成にあって、本考案のマスクは、本体部の長手方向の両端部上部側に紐状の補助耳かけ用部を設けたことを特徴とする。
【００２０】
上記構成によれば、誰でも容易にマスクの着脱が可能となり、快適で実用的なマスク着用環境を提供できるものである。
【００２１】
また、上記構成によれば、極めてシンプルでコンパクトな構造なマスクを提供できるため、見栄えもよく、生産面及び経済面に於いても優位となるものである。
【００２２】
さらに、上記構成によれば、一本の紐状または帯状の耳掛け用部にはアジャスターが設けられているので、耳への快適な装着感を提供できるとともに見栄えもよくなるものである。また、装身具や眼鏡等への影響も低減できるので、有用なものである。
【００２３】
さらに、上記構成によれば、補助耳かけ用部を設けたので、二通りのマスクの着用が可能となり、例えば密閉度の高いマスクにもなり得るし下部側の締め付けが緩やかなフェースカバー的なマスクといったようにシーンに合わせた使い分けができ、さらなる使い勝手の向上を図れるものである。
【考案の効果】
【００２４】
本考案によれば、誰でも簡単にマスクの着脱が実現でき、快適なマスク着用環境を得られるという使い勝手がよく実用的に有用な効果を奏するものである。
また、本考案は、極めてシンプルでコンパクトな構造なので、生産面は勿論、経済面に於いても優れるという効果を奏するものである。
【図面の簡単な説明】
【００２５】
【図１】本考案の一実施形態に係わるマスクの全体の概略構成を模式的に示す図である。
【図２】同実施形態に係わり、マスクの本体部の概略構成を模式的に示す図であり、（ａ）は表側（外側）を模式的に示す平面図であり、（ｂ）は裏側（内側）を模式的に示す平面図である。
【図３】同実施形態に係わり、マスクの耳掛け用部の概略構成を模式的に示す図である。
【図４】同実施形態の変形例に係わるマスクの本体部の概略構成を模式的に示す図であり、（ａ）は表側（外側）を模式的に示す平面図であり、（ｂ）は裏側（内側）を模式的に示す平面図である。
【考案を実施するための形態】
【００２６】
以下本考案の一実施形態につき、図１乃至図３を参照して説明する。
【００２７】
本実施形態に係わるマスク１０は、口元及び鼻を覆う本体部１００と、この本体部１００の長手方向の両端部上部１００ｃ，１００ｄ側に磁石１２２，１２２を被覆状態にして設けた取り付け部１２０，１２０と、この取り付け部１２０，１２０に着脱自在に取り付けられる強磁性体を有する被取り付け部１４２，１４２と、この被取り付け部１４２，１４２が設けられ耳に掛けられる紐状または帯状の耳掛け用部１４０，１４０とを具備する。
【００２８】
さて、本体部１００は、二枚の布を縫い合わせたものであり、その平面形状が角丸長方形状を呈する。ここで、本体部１００の表側（外側）１００ａには模様が施された木綿素材の布が、裏側（内側）１００ｂには無地の木綿素材の布が存するようになっている。なお、本体部１００の形状は角丸長方形状に限らず他の形状でよいことは勿論である。また、素材も布タイプに限定される訳ではなく、不織布タイプ、ガーゼタイプまたはポリウレタンタイプ等の他のものでもよいことは勿論である。
【００２９】
取り付け部１２０，１２０は、本体部１００の両端部上部１００ｃ，１００ｄ側に存する領域にあり、表側の布と裏側の布との間に長方体状の磁石１２２，１２２を位置させてその周囲を縫い付けることにより内包させてある。なお、磁石１２２の内包の仕方はこれに限らず、他に例えば裏側の布に磁石１２２を載置して表側の布を裏側へ織り込むことにより磁石１２２を包み込んで縫い付けてもよいものである。
【００３０】
耳掛け用部１４０，１４０は、夫々のその主要部分が一本の紐状または帯状の柔軟性を有する合成皮革部材から成り、所定の位置、例えば一端部から全体の長さに対して３／７の位置（他端部からは４／７の位置）に強磁性体の金属より成る被取り付け部１４２，１４２が設けられている。なお、この設けられる位置はこれに限定される訳ではなく、適宜変更可能である。
また、耳掛け用部１４０，１４０の素材は合成皮革部材以外の素材、例えばゴム紐や布等の素材であってもよい。さらに耳掛け用部１４０，１４０には、被取り付け部１４２，１４２が設けられる部位側が環状となるようにアジャスター１４４，１４４が設けられている。なお、本実施形態においては耳掛け用部１４０，１４０にアジャスター１４４，１４４を設けたが、アジャスター１４４，１４４のない形態であってもよい。
【００３１】
アジャスター１４４は、耳掛け用部１４０の主要部分を摺動自在に移動可能としてある。そのため、アジャスター１４４を耳掛け用部１４０の所望の部位に位置させることにより、所望の大きさの環を形成することができるものである。
【００３２】
上記構成につき、その作用を以下に説明する。
【００３３】
マスク１０を着用するに当っては、先ず、耳掛け用部１４０の環の部分を所望の大きさとなるようアジャスター１４４を摺動させて調節する。なお、耳掛け用部１４０が本体部１００に取り付けられている場合は、これを取り外した後に耳掛け用部１４０の環の部分を調整してもよく、また耳掛け用部１４０が本体部１００に取り付けられている状態でこれを調整してもよい。
【００３４】
耳掛け用部１４０にて所望の大きさの環を形成できたら、環の部分を耳にかけて、被取り付け部１４２を本体部１００の取り付け部１２０に近付ければ、磁石１２２の磁力により、被取り付け部１４２が取り付け部１２０に吸着される。これにより、本体部１００と耳掛け用部１４０が一体化されてマスク１０が着用された状態になる。
なお、本体部１００と耳掛け用部１４０を先に一体化させたのちに、環の部分を耳にかけるようにしてマスク１０を装着してもよい。
【００３５】
そして食事等でマスク１０を外す場合、即ち口元及び鼻を覆う本体部１００を外す場合は、吸着状態にある被取り付け部１４２と取り付け部１２０を磁石１２２の磁力に抗するように離せばよい。これは例えば本体部１００と耳掛け用部１４０とを離すように移動させればよく、これにより、容易に被取り付け部１４２と取り付け部１２０の吸着状態が解除され、本体部１００を外すことができる。そして本体部１００に覆われていた口元及び鼻が開放される。
【００３６】
再びマスク１０を着用状態にするには、本体部１００の取り付け部１２０に被取り付け部１４２を近付けて吸着させればよい。
【００３７】
耳に装身具を付けたり、眼鏡を掛けたり或いは補聴器等を付ける必要がある場合は、耳掛け用部の１４０に装着されたアジャスター１４４の位置を調節して環の大きさを変えればよく、これにより適切且つ容易にマスク１０の着用及び取り外しが実現できる。
【００３８】
また、眼鏡を掛けている場合は、一方の取り付け部１２０と被取り付け部１４２の吸着状態を解消しさえすれば、本体部１００内の呼気が外部へ排出されるとともに、外気が導入されることになる。これにより、眼鏡のくもりの防止・解消を容易に図れる。
なお、耳掛け用部の１４０に装着されたアジャスター１４４の位置を調節して環の大きさを変えることにより、顔面に対する本体部１００の密着度の調節も可能となるものである。従って、密着度の高いマスクとしても機能できるし、本体部１００の下側部分が緩い状態のフェースカバー的なマスクとしても機能できるものである。而してフェースカバー的なマスクとして機能させると、眼鏡のくもりの防止・解消を図れ、また外気の流入や呼気の排出が円滑となりより快適なマスク着用環境を提供できることになる。
【００３９】
上記実施形態によれば、誰でも容易に場面を問わずマスク１０の着脱が可能となり、快適で実用的なマスク着用環境を得られる。
【００４０】
また上記実施形態によれば、極めてシンプルでコンパクトな構造のマスク１０により、快適で実用的なマスク着用環境を得られるため、生産面及び経済面に於いても優位となるものである。
【００４１】
しかも耳掛け用部１４０そのものは見栄えがよく、また環を所望の大きさにできるよう調整可能としたので、着用者が違和感や不快感を覚える虞もなくマスク１０を着用できる。また輪を所望の大きさに調整できることから、装身具、眼鏡或いは補聴器等の種類を選ばすにマスクを装着することができる。
【００４２】
本考案は上記実施形態に限定されるものではなく、本考案の要旨を逸脱しない限り種々の変形が可能なことは勿論である。
【００４３】
例えば、上記実施形態の変形例の一つとして、その要部を図４に示す。上記実施形態と同一部分、同一機能については、同一符号を付し、当該箇所の説明は省略する。
【００４４】
本変形例のマスクは、上記実施形態（図１乃至図３参照）と同様に口元及び鼻を覆う本体部１００と、この本体部１００の長手方向の両端部上部１００ｃ，１００ｄ側に磁石１２２，１２２を被覆状態にして設けた取り付け部１２０，１２０と、この取り付け部１２０，１２０に着脱自在に取り付けられる強磁性体を有する被取り付け部１４２，１４２と、この被取り付け部１４２，１４２が設けられ耳に掛けられる紐状または帯状の耳掛け用部１４０，１４０とを具備する構成としてある。
【００４５】
而して本体部１００の長手方向の両端部上部１００ｃ，１００ｄ側に、紐状の補助耳かけ用部１６０，１６０を、その両端部を本体部１００に縫い付けることにより設けてある。そして、補助耳かけ用部１６０，１６０にはアジャスター１４４と同様な補助耳かけ用部用アジャスター１６２が夫々に設けられている。
【００４６】
本変形例では、マスクに補助耳かけ用部１６０を設けることにより、耳掛け用部１４０なしでも本体部１００を直接耳に掛けることが可能となるものである。これにより、例えば密閉度の高いマスクにもなり得るし下部側の締め付けが緩やかなフェースカバー的なマスクといったように二通りのマスク１０の着用が実現でき、シーンに合わせた使い分けが可能となることから、さらなる使い勝手の向上を図れるものである。
【符号の説明】
【００４７】
１０      …マスク
１００    …本体部
１２０    …取り付け部
１２２    …磁石
１４０    …耳掛け用部
１４２    …被取り付け部
１４４    …アジャスター
１６０    …補助耳かけ用部
【図１】
0003233486.tif 000003
【図２】
0003233486.tif 000004
【図３】
0003233486.tif 000005
【図４】
0003233486.tif 000006